(57)【要約】      （修正有）【課題】使用者が正しい月齢を容易に認識できる月齢表示時計を提供する。【解決手段】月齢表示時計１は、１日で１回転する第１部材２２０と、第１部材２２０と同軸で回転し、朔望月の周期をＭ日とした場合に、Ｍ日でＭ−１回転する第２部材２５と、第１部材２２０または第２部材２５の一方に設けられて月齢を示す月齢表記部２２１、２２２、２２３と、第１部材２２０または第２部材２５の他方に設けられて月齢表記部２２１、２２２、２２３を指示する月齢指示部２５１とを備える。【選択図】図１
2020169824.tif 000002
【特許請求の範囲】
【請求項１】
１日で１回転する第１部材と、
前記第１部材と同軸で回転し、朔望月の周期をＭ日とした場合に、前記Ｍ日でＭ−１回転する第２部材と、
前記第１部材または前記第２部材の一方に設けられて月齢を示す月齢表記部と、
前記第１部材または前記第２部材の他方に設けられて前記月齢表記部を指示する月齢指示部とを備える
ことを特徴とする月齢表示時計。
【請求項２】
請求項１に記載の月齢表示時計において、
前記月齢表記部は、月齢の数字または月の形で月齢を表記しており、
前記月齢指示部は、前記月齢の数字または前記月の形を指示することで月齢を表示する
ことを特徴とする月齢表示時計。
【請求項３】
請求項１または請求項２に記載の月齢表示時計において、
前記第１部材は、円板状の太陽板であり、
前記第２部材は、指針状の月針であり、
前記月齢表記部は、前記太陽板に設けられ、
前記月齢指示部は、前記月針に設けられる
ことを特徴とする月齢表示時計。
【請求項４】
請求項１または請求項２に記載の月齢表示時計において、
前記第１部材は、指針状の太陽針であり、
前記第２部材は、円板状の月板であり、
前記月齢表記部は、前記月板に設けられ、
前記月齢指示部は、前記太陽針に設けられる
ことを特徴とする月齢表示時計。
【請求項５】
請求項４に記載の月齢表示時計において、
前記月板を挟んで前記太陽針とは反対側に設けられた朔望板と、
前記朔望板を、前記太陽針の回転に連動して駆動し、且つ、前記月板の回転に連動して駆動する遊星歯車機構と、を有し、
前記月板は、円形の開口を有し、
前記朔望板は、前記月板に垂直な方向から見た平面視において、前記太陽針および前記月板の回転に伴い、前記開口から視認される明領域および暗領域を有する
ことを特徴とする月齢表示時計。
【請求項６】
請求項１から請求項５のいずれか一項に記載の月齢表示時計において、
前記第１部材が固定されて１日で１回転し、且つ、第１歯車を有する第１車と、
前記第２部材が固定されて前記Ｍ日でＭ−１回転し、且つ、第２歯車を有する第２車と、
前記第１歯車と噛み合う第１中間歯車および前記第２歯車と噛み合う第２中間歯車を有する中間車と、を備え、
前記第１歯車の歯数をａ、前記第２歯車の歯数をｄ、前記第１中間歯車の歯数をｃ、前記第２中間歯車の歯数をｂとした場合、
ａ＝５９、ｂ＝１０３、ｃ＝７４、ｄ＝８５である
ことを特徴とする月齢表示時計。
【請求項７】
請求項１から請求項６のいずれか一項に記載の月齢表示時計において、
時針と、
前記時針を固定する筒車と、
前記第２部材が固定されて前記Ｍ日でＭ−１回転し、且つ、第２歯車を有する第２車と、
前記筒車と噛み合う筒中間歯車および前記第２歯車と噛み合う第２中間歯車を有する中間車と、を備え、
前記筒車の歯数をｅ、前記筒中間歯車の歯数をｆ、前記第２中間歯車の歯数をｇ、前記第２歯車の歯数をｈとした場合、
ｅ＝５９、ｆ＝１４８、ｇ＝１０３、ｈ＝８５である
ことを特徴とする月齢表示時計。
【請求項８】
請求項１から請求項７のいずれか一項に記載の月齢表示時計において、
前記Ｍは２９．５３０５９である
ことを特徴とする月齢表示時計。
【請求項９】
１日で１回転する太陽車と、
朔望月の周期をＭ日とした場合に、前記Ｍ日でＭ−１回転する月車と、
前記月車に固定され、且つ、円板状に形成されて円形の開口を有する月板と、
前記月車と同軸で回転される朔望車と、
前記朔望車に固定され、且つ、前記月板の前記開口から視認される明領域および暗領域を有する朔望板と、
前記太陽車の回転に連動して駆動し、且つ、前記月車の回転に連動して駆動して前記朔望車を回転する朔望送り歯車を有する遊星歯車機構と、
を備えることを特徴とする月齢表示時計。
【発明の詳細な説明】
【技術分野】
【０００１】
本発明は、太陽および月の位置を表示して月齢を表示する月齢表示時計に関する。
【背景技術】
【０００２】
特許文献１には、月位置および月齢表示機構を有する時計が開示されている。この時計は、黄道と、各月の一日における太陽位置を示す数字が黄道上に表記され、恒星の日周運動に同期して回転する星座盤と、月位置を示す指標と月齢とが表記され、星座盤と所定の回転比で回転する月盤と、を有する。使用者は、黄道上の数字によって本日の太陽位置の見当を付け、該太陽位置と月盤の中心とを仮想の直線で結び、該直線が通る月盤上の月齢目盛によって、月齢を知ることができる。
【先行技術文献】
【特許文献】
【０００３】
【特許文献１】特開２００９−２２９０６９号公報
【発明の概要】
【発明が解決しようとする課題】
【０００４】
前記時計は、使用者自身が太陽位置の見当を付けて月齢目盛を読み取らなければならず、使用者が誤った月齢を認識する場合があるという課題があった。
【課題を解決するための手段】
【０００５】
本開示の月齢表示時計は、１日で１回転する第１部材と、前記第１部材と同軸で回転し、朔望月の周期をＭ日とした場合に、前記Ｍ日でＭ−１回転する第２部材と、前記第１部材または前記第２部材の一方に設けられて月齢を示す月齢表記部と、前記第１部材または前記第２部材の他方に設けられて前記月齢表記部を指示する月齢指示部とを備えることを特徴とする。
【０００６】
本開示の月齢表示時計において、前記月齢表記部は、月齢の数字または月の形で月齢を表記しており、前記月齢指示部は、前記月齢の数字または前記月の形を指示することで月齢を表示することが好ましい。
【０００７】
本開示の月齢表示時計において、前記第１部材は、円板状の太陽板であり、前記第２部材は、指針状の月針であり、前記月齢表記部は、前記太陽板に設けられ、前記月齢指示部は、前記月針に設けられることが好ましい。
【０００８】
本開示の月齢表示時計において、前記第１部材は、指針状の太陽針であり、前記第２部材は、円板状の月板であり、前記月齢表記部は、前記月板に設けられ、前記月齢指示部は、前記太陽針に設けられることが好ましい。
【０００９】
本開示の月齢表示時計において、前記月板を挟んで前記太陽針とは反対側に設けられた朔望板と、前記朔望板を、前記太陽針の回転に連動して駆動し、且つ、前記月板の回転に連動して駆動する遊星歯車機構と、を有し、前記月板は、円形の開口を有し、前記朔望板は、前記月板に垂直な方向から見た平面視において、前記太陽針および前記月板の回転に伴い、前記開口から視認される明領域および暗領域を有することが好ましい。
【００１０】
本開示の月齢表示時計において、前記第１部材が固定されて１日で１回転し、且つ、第１歯車を有する第１車と、前記第２部材が固定されて前記Ｍ日でＭ−１回転し、且つ、第２歯車を有する第２車と、前記第１歯車と噛み合う第１中間歯車および前記第２歯車と噛み合う第２中間歯車を有する中間車と、を備え、前記第１歯車の歯数をａ、前記第２歯車の歯数をｄ、前記第１中間歯車の歯数をｃ、前記第２中間歯車の歯数をｂとした場合、ａ＝５９、ｂ＝１０３、ｃ＝７４、ｄ＝８５であることが好ましい。
【００１１】
本開示の月齢表示時計において、時針と、前記時針を固定する筒車と、前記第２部材が固定されて前記Ｍ日でＭ−１回転し、且つ、第２歯車を有する第２車と、前記筒車と噛み合う筒中間歯車および前記第２歯車と噛み合う第２中間歯車を有する中間車と、を備え、前記筒車の歯数をｅ、前記筒中間歯車の歯数をｆ、前記第２中間歯車の歯数をｇ、前記第２歯車の歯数をｈとした場合、ｅ＝５９、ｆ＝１４８、ｇ＝１０３、ｈ＝８５であることが好ましい。
【００１２】
本開示の月齢表示時計において、前記Ｍは２９．５３０５９であることが好ましい。
【００１３】
本開示の月齢表示時計は、１日で１回転する太陽車と、朔望月の周期をＭ日とした場合に、前記Ｍ日でＭ−１回転する月車と、前記月車に固定され、且つ、円板状に形成されて円形の開口を有する月板と、前記月車と同軸で回転される朔望車と、前記朔望車に固定され、且つ、前記月板の前記開口から視認される明領域および暗領域を有する朔望板と、前記太陽車の回転に連動して駆動し、且つ、前記月車の回転に連動して駆動して前記朔望車を回転する朔望送り歯車を有する遊星歯車機構と、を備えることを特徴とする。
【図面の簡単な説明】
【００１４】
【図１】第１実施形態の月齢表示時計を示す正面図である。
【図２】前記月齢表示時計のムーブメントの要部を示す断面図である。
【図３】前記月齢表示時計のムーブメントの要部を示す平面図である。
【図４】前記月齢表示時計の修正機構の要部を示す断面図である。
【図５】前記月齢表示時計の月車、太陽車、太陽月中間車の歯数の組み合わせを示す図である。
【図６】前記月齢表示時計の月車、筒車、太陽月中間車の歯数の組み合わせを示す図である。
【図７】第２実施形態の月齢表示時計を示す正面図である。
【図８】前記月齢表示時計の朔望板を示す平面図である。
【図９】前記月齢表示時計のムーブメントの要部を示す断面図である。
【図１０】前記月齢表示時計のムーブメントの要部を示す平面図である。
【図１１】前記月齢表示時計の月板と朔望板との移動による月齢表示例を示す図である。
【発明を実施するための形態】
【００１５】
［第１実施形態］
第１実施形態の月齢表示時計１を図１から図６に基づいて説明する。
図１に示すように、月齢表示時計１は指針式の時計であり、表示部２およびムーブメント３を収納するケース４と、りゅうず５とを備える。ケース４は、胴、カバーガラス、裏蓋を備える一般的な時計ケースである。
表示部２は、文字板２０と、時針２１、分針２２、秒針２３と、指針状の月針２５とを備える。
【００１６】
文字板２０は、固定文字板２１０と、太陽板２２０とを備える。固定文字板２１０は、平面中央に円形の開口２１１を有する円板で構成されている。すなわち、固定文字板２１０は、円環状に形成され、太陽板２２０の外周側に配置されている。固定文字板２１０には、３０度間隔でインデックス２１５が設けられている。インデックス２１５は、時字とも呼ばれ、時刻を表すために配置される目盛である。このため、インデックス２１５Ａは１２時を示す目盛である。
【００１７】
太陽板２２０は、固定文字板２１０の開口２１１を通して視認可能な円板で構成されている。太陽板２２０は、後述する太陽車５２と一体で回転可能に構成され、２４時間で１回転する。
なお、太陽板２２０の回転軸つまり太陽車５２の回転軸は、時針２１、分針２２、秒針２３、月針２５の回転軸と同軸とされ、文字板２０の平面中心位置に設けられる。
【００１８】
太陽板２２０には、太陽の形を模した太陽マーク２２１と、月の形を模した複数の月マーク２２２と、月齢を表す月齢マーク２２３とが印刷されている。太陽マーク２２１および月マーク２２２は、太陽板２２０の外周に沿って表示されている。
月齢マーク２２３は、太陽マーク２２１、月マーク２２２の内周側に印刷されている。また、月齢マーク２２３は、月齢数字２２３Ａと、ドット２２３Ｂとで表記されている。月齢数字２２３Ａは、奇数の月齢を示し、ドット２２３Ｂは偶数の月齢を示す。なお、月齢マーク２２３は、偶数を数字で、奇数をドットで表示してもよいし、すべて数字で表記してもよい。
月の形と月齢は、太陽と月の位置関係で決まり、一致したときが新月の月齢０、180度ずれたときが満月の月齢概１５となる。太陽板２２０では、新月の位置に太陽マーク２２１が印刷され、月マーク２２２は月の満ち欠けに応じた形状の２２２Ａ〜２２２Ｋが各月齢マーク２２３におおよそ対応する位置に印刷されている。月マーク２２２Ｆは、月齢概１５の満月を示すマークであり、太陽板２２０の太陽板２２０の回転軸を挟んで太陽マーク２２１と対向する位置、つまり１８０度回転した位置に印刷されている。
月針２５は、太陽板２２０の太陽マーク２２１、月マーク２２２、月齢マーク２２３を指示する指示部２５１を備える。
【００１９】
時針２１は、太陽板２２０の太陽マーク２２１が、１２時位置を示すインデックス２１５Ａに揃っている状態、つまり太陽板２２０の回転軸とインデックス２１５Ａとを結ぶ仮想線上に太陽マーク２２１の平面中心点が位置する状態で、インデックス２１５Ａを指示する１２時位置に取り付ける。太陽板２２０は２４時間で１回転するため、太陽マーク２２１は時計の２４時針と同様の機能を有する。このため、月齢表示時計１の１２時位置を北に向けると、太陽マーク２２１は実際の太陽の方向を示す。
【００２０】
地球を基準として、太陽は１日で１回転し、月は約24時間50分で１回転する。このため、月は、朔望月の周期であるＭ日、つまり約29.53059日で太陽に対して１回転遅れる。つまり、29.53059日で28.53059回転する。
月針２５は、後述する月車５１に固定され、実際の月と同様に朔望月つまりＭ日＝約29.53059日で約28.53059回転する。したがって、新月の時に、月齢０の位置、つまり太陽マーク２２１を示す位置に、月針２５を合わせると、以降は、月齢表示時計１の１２時位置を北に向けると、月針２５の指示部２５１は実際の月の方向を示す。
【００２１】
［ムーブメント］
次に、月齢表示時計１のムーブメント３について、図２、３を参照して説明する。
ムーブメント３は、ぜんまいを駆動源とする機械式時計のムーブメント３であり、図２に示すように、地板１１、２番受け１２、輪列受け１３と、ぜんまいを内蔵する図示略の香箱車と、香箱車によって回転される輪列と、輪列の回転速度を調速する調速機構とを備える。調速機構は、ガンギ、アンクルなどを備える機械式時計の一般的な調速機構を用いてもよいし、輪列によって回転されるローターを備える発電機と、発電機で発電された電力で駆動されてローターの回転を制御する制動制御回路とを備える電子制御式機械時計の調速機構を用いてもよい。
さらに、月齢表示時計１としては、各指針をモーターで駆動するクオーツ時計でも実現できる。すなわち、月齢表示時計１は、指針を有する時計であればよく、指針の駆動方式は限定されない。
【００２２】
香箱車によって回転される輪列は、２番車４１、図示略の３番車、４番車４２を備える。本実施形態では、２番車４１は、地板１１、２番受け１２で回転自在に支持され、４番車４２は、２番車４１および輪列受け１３で回転自在に支持されている。
４番車４２の軸４２１には秒針２３が取り付けられ、２番車４１の軸に嵌合された筒カナ４５には分針２２が取り付けられる。筒カナ４５に噛み合う日の裏車４３を介して回転する筒車４６には時針２１が取り付けられる。なお、日の裏車４３は、図２では図示せず、図３に示す。
【００２３】
筒車４６の回転軸外周部分には、月車５１が回転自在に取り付けられ、月車５１の回転軸外周部分には、太陽車５２が回転自在に取り付けられている。
月車５１は、軸部５１１と、歯車５１２と、カナ５１３とを備える。軸部５１１は、円筒状に形成され、その内部に配置された筒車４６によって回転自在に支持されている。歯車５１２は、軸部５１１の地板１１側の端部に連続して形成されて後述する太陽月中間車６０の月中間歯車６３に噛み合う。カナ５１３は、軸部５１１に圧入されて軸部５１１、歯車５１２と一体で回転し、後述する第５月齢修正伝え車８６に噛み合う。
【００２４】
月車５１の軸部５１１には、月針２５が取り付けられている。月針２５は、図１にも示すように、先端に満月を模した円板状の指示部２５１を有し、指示部２５１が重なる月齢マーク２２３や、指示部２５１の近傍に位置する太陽マーク２２１や月マーク２２２との位置関係によって、月齢を指示する。なお、月針２５の指示部２５１の形状は、円板状に限らず、半月状や三日月状などでもよい。また、月針２５は、通常の指針と同様に形成されていてもよいが、着色したり、長さを短くすることなどで、時針２１、分針２２、秒針２３と区別できるように構成すればよい。
【００２５】
太陽車５２は、軸部５２１と、歯車５２２とを備える。軸部５２１は、平面形状が正方形の角柱状に形成され、その中心部には前記月車５１の軸部５１１が挿入される貫通孔が形成され、軸部５１１によって回転自在に支持されている。
太陽車５２の軸部５２１には、太陽板２２０が太陽車５２と一体で回転可能に取り付けられている。すなわち、太陽板２２０の平面中心には、平面形状が正方形の角穴が形成されており、太陽車５２の軸部５２１を角穴に挿入することで、太陽板２２０は太陽車５２と一体で回転する。
太陽板２２０の外周縁は、固定文字板２１０の開口２１１に沿った内周縁に平面視で重なっており、固定文字板２１０よりも地板１１側に位置する太陽板２２０は、カバーガラス側への移動を固定文字板２１０で規制されている。なお、本実施形態では、文字板２０に垂直な方向から見ることを平面視という。
【００２６】
月車５１、太陽車５２は、筒車４６の回転を伝達する太陽月中間車６０によって回転する。太陽月中間車６０は、真６１と、筒中間歯車６２と、月中間歯車６３と、太陽中間歯車６４との４体で構成されている。
真６１は、地板１１に圧入固定されている。筒中間歯車６２は、真６１に回転自在に軸支され、筒車４６と一体で回転するカナ４６１に噛み合っている。ここで、筒車４６のカナ４６１の歯数は５９、筒中間歯車６２の歯数は１４８であるため、筒中間歯車６２は、筒車４６の回転を、歯数比59：148で減速する。
太陽中間歯車６４は、筒中間歯車６２の軸部分に圧入され、太陽車５２の歯車５２２に噛み合っている。ここで、太陽中間歯車６４の歯数は７４、太陽車５２の歯車５２２の歯数は５９であるため、太陽中間歯車６４は、太陽月中間車６０の回転を歯数比74：59で増速して太陽車５２に伝える。したがって、筒車４６の回転は、１／２に減速して太陽車５２および太陽板２２０に伝達され、これらは２４時間で１回転する。
【００２７】
月中間歯車６３は、筒中間歯車６２の軸部分にスリップ可能に圧入され、月車５１の歯車５１２に噛み合っている。ここで、月中間歯車６３の歯数は１０３、月車５１の歯車５１２の歯数は８５であるため、月中間歯車６３は、太陽月中間車６０の回転を歯数比103:85で増速し、筒車４６の回転を約1/2.07に減速して月車５１に伝える。この減速比は、厳密には1/2.070100378であり、筒車４６が29.53059×２回転で月車５１は約28.53058752回転する。すなわち、１日で２回転する筒車４６を介して１日で１回転する太陽車５２および太陽板２２０が29.53059回転した場合に、月車５１および月針２５は、約28.53058752回転する。この際、月車５１の誤差は、29.53059日で0.00000248日であり、約1100年で1日の誤差となる。
【００２８】
本実施形態では、１日で１回転する第１車は、太陽車５２であり、第１車の第１歯車は、太陽車５２の歯車５２２である。第１車に固定される第１部材は、太陽板２２０である。
朔望月の周期をＭ日、つまり29.53059日とした場合に、Ｍ日でＭ−１回転する第２車は、月車５１であり、第２車の第２歯車は、月車５１の歯車５１２である。第１部材である太陽板２２０と同軸で回転し、第２車に固定される第２部材は、月針２５である。
このため、月齢表記部は、第１部材である太陽板２２０に設けられた太陽マーク２２１、月マーク２２２、月齢マーク２２３で構成され、月齢指示部は、第２部材である月針２５に設けられた指示部２５１で構成される。
第１歯車である歯車５２２と噛み合う第１中間歯車は、太陽中間歯車６４であり、第２歯車である歯車５１２と噛み合う第２中間歯車は、月中間歯車６３である。そして、太陽月中間車６０は、第１中間歯車である太陽中間歯車６４と、第２中間歯車である月中間歯車６３とを有する中間車であり、かつ、筒車４６と噛み合う筒中間歯車６２と、第２中間歯車である月中間歯車６３とを有する中間車でもある。
【００２９】
［月車の修正機構］
月中間歯車６３はスリップ構造を有し、筒車４６、太陽車５２に対して月車５１を回転できる。この月車５１の修正機構７０について説明する。
修正機構７０は、図３および図４に示すように、巻真７１、きち車７２、つづみ車７３、オシドリ７４、カンヌキ７５、カンヌキ押え７６、小鉄レバー７７、小鉄車７８、月車修正輪列８０を備えている。
巻真７１は、０段目、１段目、２段目の３段階に引出可能とされている。
月車修正輪列８０は、後述するように、月齢修正車８１、第１月齢修正伝え車８２、第２月齢修正伝え車８３、第３月齢修正伝え車８４、第４月齢修正伝え車８５、第５月齢修正伝え車８６を備える。
月齢修正車８１は、小鉄レバー７７に小鉄車７８と一体で回転可能に軸支されており、小鉄レバー７７は巻真７１が１段目に位置する際に、月齢修正車８１が第１月齢修正伝え車８２に噛み合い、０段目、２段目では噛み合わないように、巻真７１の引出操作に連動して回動するオシドリ７４によって移動される。
第５月齢修正伝え車８６は、図２にも示すように、月車５１のカナ５１３に噛み合っている。
【００３０】
巻真７１の０段位置は、図示を略すが、ぜんまいを巻き上げ操作可能とされ、オシドリ７４およびカンヌキ７５の作用により、きち車７２とつづみ車７３とが噛み合い、巻真７１を回転すると、巻真７１と一体で回転するつづみ車７３が回転し、つづみ車７３に噛み合うきち車７２が回転し、きち車７２に噛み合う丸穴車７９も回転する。丸穴車７９の回転は、図示略の角穴車に伝達され、ぜんまいが巻き上げられる。
【００３１】
巻真７１の１段位置は、図３および図４に示すように、月車５１を修正操作可能とされている。すなわち、巻真７１を１段目に移動すると、オシドリ７４、カンヌキ７５、小鉄レバー７７の作用により、つづみ車７３が小鉄車７８と噛み合い、小鉄車７８と同軸で一体に回転する月齢修正車８１が第１月齢修正伝え車８２に噛み合う。このため、巻真７１の回転操作は、つづみ車７３および小鉄車７８を介して月齢修正車８１に伝達され、さらに、月齢修正車８１から各月齢修正伝え車８２〜８６を介して月車５１に伝達される。月車５１に噛み合う月中間歯車６３はスリップ構造を有するため、巻真７１を１段目で操作することで、筒車４６、太陽車５２に対して月車５１を回転して月針２５を移動できる。
【００３２】
巻真７１の２段位置は、オシドリ７４および小鉄レバー７７によって、小鉄車７８が日の裏車４３に噛み合う位置に移動され、オシドリ７４およびカンヌキ７５によって、つづみ車７３が小鉄車７８に噛み合う位置に移動される。このため、巻真７１を操作すると、つづみ車７３、小鉄車７８、日の裏車４３を介して筒カナ４５、筒車４６が回転し、時針２１、分針２２が修正される。
【００３３】
月齢表示時計１を組み立てる際に、太陽板２２０の太陽マーク２２１が、固定文字板２１０の１２時位置にあるときに、時針２１、分針２２、秒針２３を０時０分０秒（１２時０分０秒）の位置に取り付ける。
月針２５は、巻真７１を１段目に引き出すことで修正できるので、現在の月齢の位置に移動する。これにより、地球を基準とした場合の太陽の位置と月の位置に合わせて、太陽マーク２２１と、月針２５との位置を設定できる。
そして、巻真７１を２段目に引き出し、時針２１、分針２２を現在の時刻に修正すると、太陽月中間車６０を介して、太陽板２２０および月針２５も移動し、現在の時刻に対応する位置に移動する。
【００３４】
以上の初期設定を行った後は、太陽マーク２２１の回転に対する月針２５の回転を、前述したように、実際の太陽と月との関係に合わせることができ、その精度は約１０００年に１日程度の誤差に抑えることができる。
【００３５】
［第１実施形態の効果］
本実施形態の月齢表示時計１によれば、筒車４６の回転を、所定の減速比で月車５１および太陽車５２に伝える太陽月中間車６０を設けたので、１日で１回転する太陽車５２および太陽板２２０が、29.53059回転した時に、月車５１がほぼ１回転遅れるように設定できる。これにより、月車５１および月針２５は、実際の月と同様に朔望月の周期Ｍ日＝29.53059日で概28.53059回転するため、月齢を精度よく指示できる。
【００３６】
ムーブメント３は、時針２１、分針２２、秒針２３を駆動するムーブメントに対し、月車５１、太陽車５２、太陽月中間車６０を追加すればよいので、月齢表示時計１は、比較的簡単な構造で誤差の殆ど無い月齢表示を行うことができる。
月車５１の修正機構７０を備えているので、利用者が月齢指示を容易に修正できる。月齢表示時計１の誤差は、約１０００年に１日と非常に高精度であるが、さらに利用者が定期的に月針２５の指示位置を修正できるため、指示精度を非常に高くできる。
【００３７】
地球つまりは利用者を基準にした場合の太陽、月の動きに、太陽マーク２２１、月針２５が連動するため、利用者は現在の太陽、月の位置を把握できる。このため、２４時針と同様に、利用者は太陽マーク２２１を太陽の方向に向けることで、固定文字板２１０の１２時を示すインデックス２１５Ａが北を示し、３時、６時、９時方向がそれぞれ東、南、西を示すために、簡単に方位を知ることができる。さらに、夜間も月針２５を月の方向に向けることで、同じく方位を知ることができる。したがって、方位を知る手段が増え、太陽の位置を確認できない夜間においても月齢表示時計１を用いて方位を簡便に確認できる。
【００３８】
月車５１と太陽車５２とを１つの太陽月中間車６０を介して連動させ、第１歯車である太陽車５２の歯数をａ、第２歯車である月車５１の歯数をｄ、第１中間歯車である太陽中間歯車６４の歯数をｃ、第２中間歯車である月中間歯車６３の歯数をｂとした場合、ａ＝５９、ｂ＝１０３、ｃ＝７４、ｄ＝８５に設定したので、小さい歯車で構成でき、かつ、誤差の小さい構造とすることができる。
すなわち、月車５１と太陽車５２とを１つの太陽月中間車６０で回転する場合、太陽車５２が29.53059回転した時に、月車５１がほぼ１回転遅れるような減速比を実現するための各歯車の歯数の組み合わせは、図５に示すように複数設定できる。これらのなかで、月車５１の指示誤差が１日となるまでの期間は、図５の番号１２の例つまり本実施形態の例が最も長い。したがって、本実施形態の歯数に設定することで、他の歯数の組み合わせに比べても、高精度の月齢表示を実現できる。
【００３９】
月車５１と筒車４６とを１つの太陽月中間車６０で連結し、筒車４６の歯数をｅ、筒中間歯車６２の歯数をｆ、第２中間歯車である月中間歯車６３の歯数をｇ、第２歯車である月車５１の歯数をｈとした場合、ｅ＝５９、ｆ＝１４８、ｇ＝１０３、ｈ＝８５に設定したので、小さい歯車で構成でき、かつ、誤差の小さい構造とすることができる。
すなわち、月車５１と筒車４６とを１つの太陽月中間車６０で回転する場合、太陽車５２が29.53059回転した時に、月車５１がほぼ１回転遅れるような減速比を実現するための各歯車の歯数の組み合わせは、図６に示すように複数設定できる。これらのなかで、月車５１の指示誤差が１日となるまでの期間は、図６の番号９の例つまり本実施形態の例が最も長い。したがって、本実施形態の歯数に設定することで、他の歯数の組み合わせに比べても、高精度の月齢表示を実現できる。
【００４０】
太陽月中間車６０は、筒車４６、月車５１、太陽車５２にそれぞれ噛み合う筒中間歯車６２、月中間歯車６３、太陽中間歯車６４を備え、図５、６に示す最も高精度の歯数に設定しているので、２つの中間車を用いる必要が無く、部品数を少なくでき、かつ、高精度の月齢表示を実現できる。
【００４１】
各歯車の歯数が１５０以下であれば、小さい歯車で実現でき、摩擦負荷も小さいため、持続時間が大幅に短くなることを防止できる。すなわち、歯数１５０以上の歯車を製造するのは歯形精度を確保することが難しい。また、モジュール０．０５ｍｍ以下の歯形は強度上問題が発生しやすい。さらに、モジュール０．０５ｍｍで歯数１５０を超える歯車は、ピッチ円で直径７．５ｍｍ以上と大型になり、重さによる摩擦負荷が大きくなる。これに対し、図５、６の歯数の組み合わせによれば、各歯車の歯数は１５０以下であるため、歯車の歯形精度や強度を確保でき、摩擦負荷も小さくできる。
【００４２】
［第２実施形態］
次に、本発明の第２実施形態について、図７〜１１を参照して説明する。
第２実施形態の月齢表示時計１Ｂは、図７に示すように、ケース４およびりゅうず５を備える。ケース４は、第１実施形態と同様に、表示部２Ｂおよびムーブメント３Ｂを収納する。
表示部２Ｂは、第１実施形態と同様の時針２１、分針２２、秒針２３を備える。また、表示部２Ｂは、第１実施形態の月針２５の代わりに指針状の太陽針２６を有し、文字板２０の代わりに文字板２０Ｂを有し、さらに文字板２０Ｂとムーブメント３Ｂとの間に配置された朔望板２４１を有する。
【００４３】
文字板２０Ｂは、固定文字板２１０Ｂと、月板２３０とを有する。固定文字板２１０Ｂは、固定文字板２１０と同様に、円環状に形成され、時刻を示すインデックス２１５Ｂと、方位を示す方位マーク２１６Ｂとが印刷されている。方位マーク２１６Ｂは、北、南、東、西を示すアルファベットＮ、Ｓ、Ｅ、Ｗである。
【００４４】
月板２３０は、固定文字板２１０Ｂの開口２１１を通して視認可能な円板で構成されている。月板２３０は、後述する月車５１Ｂと一体で回転可能に構成され、第１実施形態の月針２５と同じく朔望月の周期Ｍ日＝29.53059日で概28.53059回転する。
月板２３０には、月位置を示す円形の開口である丸穴２３１が形成され、月板２３０の外周に沿って月齢を示す月齢数字２３２が表記されている。
【００４５】
朔望板２４１は、後述する朔望車２４０と一体で回転可能に構成され、月板２３０の丸穴２３１から視認された際に、月の満ち欠け状態を模した表示を行うために用いられる。朔望板２４１は、図８に示すように、白色に着色された明領域２４２と、黒色に着色された暗領域２４３とが交互に配置されている。
明領域２４２は、１２０°間隔で設けられた第１明領域２４２Ａ、第２明領域２４２Ｂ、第３明領域２４２Ｃを備える。
暗領域２４３は、１２０°間隔で設けられた第１暗領域２４３Ａ、第２暗領域２４３Ｂ、第３暗領域２４３Ｃを備える。
この朔望板２４１は、太陽車５２Ｂと月車５１Ｂとの位相差に連動して回転する。朔望板２４１は、月板２３０の丸穴２３１から表示され、丸穴２３１との組み合わせで月の形を模した表示を行う。
【００４６】
太陽針２６は、２４時針と同じく１日２４時間で１周し、２４時間表示で現在時刻を指示する。太陽針２６は、先端に太陽を模した形状の指示部２６１を有し、指示部２６１が重なる月板２３０の月齢数字２３２によって、月齢を指示する。
したがって、月齢表示時計１Ｂにおいて、月齢指示部は太陽針２６の指示部２６１で構成され、月齢表示部は月板２３０の月齢数字２３２で構成される。
なお、太陽針２６の指示部２６１の形状は、図７に示すものに限らず、時針２１、分針２２、秒針２３と区別でき、太陽の位置を指示することを利用者が理解できるものであればよい。
ムーブメント３Ｂの地板１１から朔望板２４１、月板２３０、太陽針２６、時針２１、分針２２、秒針２３の順に配置されている。
【００４７】
月の満ち欠けは、地球に対する月と太陽との位置関係、つまり位相差によって決まる。例えば、地球に対し、月と太陽とが同じ位置にあれば新月となり、180°異なる位置にあれば満月となる。したがって、太陽針２６を太陽の位置に合わせて２４時間で１回転させ、月板２３０を月の位置に合わせて朔望月の周期29.53059日で概28.53059回転させ、朔望板２４１を月と太陽の位相差にしたがって回転させればよい。
このため、月板２３０の丸穴２３１が１２時位置の状態で太陽針２６を１２時位置に合わせて取り付けて、月の位置を示す丸穴２３１と、太陽の位置を示す太陽針２６とを、月齢０に対応する位置に取付けると、その後は、月と太陽の位相差に従って月の形は決まる。このため、月齢表示時計１Ｂの利用者は、時刻合せ後、一度、現在の月齢の数字に太陽針２６の位置を合せるだけで、月齢表示時計１Ｂを止めない限り、約１０００年は月齢修正をする必要が無い。また、仮に月齢表示時計１Ｂを止めてしまっても、時刻合わせ後に太陽針２６を月齢に合わせるだけでよく、簡単に修正できる。
【００４８】
［ムーブメント］
次に、月齢表示時計１Ｂのムーブメント３Ｂについて、図９、１０を参照して説明する。
ムーブメント３Ｂは、第１実施形態のムーブメント３と同様に、ぜんまいを駆動源とする機械式時計のムーブメント３Ｂである。ここで、時針２１、分針２２、秒針２３を駆動する機構は第１実施形態と同様であるため、同一符号を付して説明を省略する。
【００４９】
筒車４６の回転軸外周部分には、太陽車５２Ｂが回転自在に取り付けられ、太陽車５２Ｂの回転軸外周部分には、月車５１Ｂが回転自在に取り付けられ、月車５１Ｂの回転軸外周部分には、朔望車２４０が回転自在に取り付けられている。
太陽車５２Ｂは、軸部５２１Ｂと、歯車５２２Ｂとを備える。軸部５２１Ｂは、円筒状に形成され、その内部に配置された筒車４６によって回転自在に支持されている。歯車５２２Ｂは、軸部５２１Ｂの地板１１側の端部に連続して形成されて後述する太陽中間歯車６４Ｂに噛み合う。
太陽車５２Ｂの軸部５２１Ｂには、太陽針２６が取り付けられている。
【００５０】
月車５１Ｂは、軸部５１１Ｂと、歯車５１２Ｂとを備える。軸部５１１Ｂは、円筒状に形成され、その内部に配置された太陽車５２Ｂの軸部５２１Ｂによって回転自在に支持されている。また、軸部５１１Ｂの外周面は、朔望車２４０を回転自在に支持する。さらに、軸部５１１Ｂのカバーガラス側の端部は、月板２３０に形成された角穴が挿入され、月車５１Ｂと月板２３０とが一体で回転可能な形状とされている。
また、月板２３０の外周縁は、固定文字板２１０の開口２１１に沿った内周縁に、月板２３０に垂直な方向から見た平面視で重なっており、固定文字板２１０よりも地板１１側に位置する月板２３０は、カバーガラス側への移動を固定文字板２１０で規制されている。朔望車２４０には、朔望板２４１が固定されている。
【００５１】
月車５１Ｂ、太陽車５２Ｂは、筒車４６の回転を伝達する太陽月中間車６０Ｂによって回転する。太陽月中間車６０Ｂは、第１実施形態の太陽月中間車６０と同様に、真６１Ｂ、筒中間歯車６２Ｂ、月中間歯車６３Ｂ、太陽中間歯車６４Ｂを備える。ただし、月車５１Ｂ、太陽車５２Ｂの位置関係が第１実施形態と逆であるため、月中間歯車６３Ｂと太陽中間歯車６４Ｂとの位置も逆になっている。すなわち、太陽月中間車６０Ｂは、地板１１側から筒中間歯車６２Ｂ、太陽中間歯車６４Ｂ、月中間歯車６３Ｂの順に重なって配置されている。なお、太陽月中間車６０Ｂと、月車５１Ｂ、太陽車５２Ｂ、筒車４６との歯数比は第１実施形態と同じである。
月中間歯車６３Ｂは、太陽中間歯車６４Ｂに対してスリップ可能に圧入されており、巻真７１を１段目に引き出して操作することで、月車５１Ｂおよび月板２３０の位置を修正する修正機構７０が設けられている。この修正機構７０は、図１０に示すように、第１実施形態と同様であるため、同一符号を付して説明を省略する。
【００５２】
ムーブメント３Ｂは、月車５１Ｂおよび太陽車５２Ｂの位相差に連動して朔望板２４１を回転する朔望送り車９０を備える。
朔望送り車９０は、図９に示すように、朔望太陽真９１と、朔望遊星中間歯車９２と、朔望第二太陽歯車９３と、朔望第二太陽かな９４と、朔望遊星車９５と、朔望太陽歯車９６と、朔望送り歯車９７と、朔望送り車座９８と、朔望送り車受板９９とを備えている。したがって、朔望送り車９０は、遊星歯車機構である。
【００５３】
朔望太陽真９１は、地板１１の穴に回転自在に支持されている。
朔望遊星中間歯車９２は、朔望太陽真９１に回転自在に軸支され、太陽車５２Ｂと噛み合う。太陽車５２Ｂおよび朔望遊星中間歯車９２は同一歯形の歯車であり、歯数は共に５９である。
朔望第二太陽歯車９３は、朔望第二太陽かな９４を介して朔望太陽真９１に回転自在に軸支され、月車５１Ｂと噛合い、月車５１Ｂと同一歯形の歯車である。月車５１Ｂおよび朔望第二太陽歯車９３の歯数は共に８５である。
朔望第二太陽かな９４は、朔望第二太陽歯車９３に圧入されている。朔望第二太陽かな９４の歯数は１６である。
【００５４】
朔望遊星車９５は、朔望遊星中間歯車９２に立設されたピン９２１に挿入されて回転自在に軸支されている。朔望遊星車９５は、朔望第二太陽かな９４と噛み合う朔望遊星かな９５１と、朔望太陽歯車９６と噛み合う朔望遊星歯車９５２とを備える。
朔望遊星かな９５１の歯数は１２であり、朔望遊星歯車９５２の歯数は１５である。
【００５５】
朔望太陽歯車９６は、朔望太陽真９１に固定され、朔望太陽真９１と一体で回転する。朔望太陽歯車９６の歯数は１５である。
朔望送り歯車９７は、朔望太陽真９１に圧入され、朔望板２４１が固定された朔望車２４０に噛み合う。朔望送り歯車９７および朔望車２４０の歯形は、太陽車５２Ｂと同一であり、歯数も５９で同数である。
朔望送り車座９８は、朔望太陽真９１に圧入される。これにより、朔望太陽真９１のフランジと、朔望送り車座９８との間に配置される、朔望遊星中間歯車９２、朔望第二太陽歯車９３、朔望第二太陽かな９４、朔望遊星車９５、朔望太陽歯車９６の軸方向の移動が規制され、朔望送り車９０をユニット化することができる。
【００５６】
朔望送り車受板９９は、朔望第二太陽歯車９３と、朔望送り歯車９７との間に、朔望太陽真９１の軸方向および軸直交方向の両方向にガタのある状態で挟まれている。この朔望送り車受板９９は、地板１１に図示略のねじで固定され、朔望送り車９０は朔望太陽真９１の軸方向にガタのある状態で固定される。
朔望送り車受板９９は、月車５１Ｂと朔望車２４０との間に配置され、図１０に示すように平面視では、太陽月中間車６０Ｂの上をカバーし、月中間歯車６３Ｂおよび朔望第二太陽歯車９３と、朔望車２４０とが、断面的に噛み合わないようにしている。
【００５７】
［動作の説明］
図１１に示すように、月車５１Ｂつまり月板２３０が太陽車５２Ｂに対して反時計方向に360度回転すると、朔望車２４０つまり朔望板２４１は、前述した歯数比から85/85×16/12×15×15×59/59=4/3となり、反時計方向に480度回転する。
逆に、太陽車５２Ｂが月車５１Ｂに対して時計方向に360度回転すると、朔望車２４０は、59/59×（1−15/15×16/12）×59/59=−1/3となり、反時計方向に120度回転する。
月板２３０と、朔望車２４０との相対的な回転が上記のようになるように、朔望送り車９０が設定されているので、月齢０で月板２３０の丸穴２３１を１２時位置に合わせ、その状態で太陽針２６を１２時位置に取付けると、月と太陽の位相差に従って月の形を設定できる。そのため、使用者は時刻合せ後、一度現在の月齢の数字に太陽針２６の位置を合せるだけで、月齢表示時計１Ｂを止めない限り、１０００年程度は月齢修正をする必要が無く、仮に月齢表示時計１Ｂを止めてしまっても、巻真７１によって修正できるので、次に月齢を合せるのは容易である。
図１１には、太陽針２６の指示部２６１が１２時位置のとき、月板２３０および朔望板２４１の相対的な回転による月の満ち欠けを、表示状態３０１〜３１３として記載する。表示状態３０１は新月であり、表示状態３０４は上弦の月であり、表示状態３０７は満月であり、表示状態３１０は下弦の月であり、表示状態３１３は新月である。その他の表示状態は、それぞれ途中の月齢を示す。このように、月板２３０および朔望板２４１を移動することで、月の形に応じた表示を実現できる。
【００５８】
［第２実施形態の効果］
第２実施形態の月齢表示時計１Ｂによっても第１実施形態と同様の作用効果を奏することができる。
すなわち、第１実施形態の太陽月中間車６０と同じ歯数比の太陽月中間車６０Ｂを設けたので、１日で１回転する太陽車５２および太陽針２６がＭ日＝29.53059回転した時に、月車５１および月板２３０がほぼ１回転遅れるように設定できる。これにより、月板２３０の月齢数字２３２を太陽針２６が指示することで、月齢を精度よく指示できるなど、月車５１Ｂ、太陽車５２Ｂ、太陽月中間車６０Ｂを備えることによる第１実施形態と同じ作用効果を奏することができる。
【００５９】
また、朔望送り車９０を設け、月車５１Ｂと太陽車５２Ｂとの位相差で回転する朔望板２４１を設け、朔望板２４１の明領域２４２および暗領域２４３と、月板２３０の丸穴２３１とで、実際の月の満ち欠けを模倣した表示を実現できるので、利用者は月齢を直感的に把握でき、利便性を向上できる。
特に、月車５１Ｂの丸穴２３１は、月の位置も示しているので、月の位置および満ち欠けを同時に示すことができるため、利便性を向上できる。
【００６０】
朔望送り車９０は、遊星歯車機構を用いているので、比較的簡単な構成でコンパクトにできる。このため、腕時計として利用される月齢表示時計１Ｂにも容易に組み込むことができる。
【００６１】
［他の実施形態］
なお、本発明は、前記実施形態に限定されない。
例えば、太陽月中間車６０、６０Ｂは、筒中間歯車６２、６２Ｂ、月中間歯車６３、６３Ｂ、太陽中間歯車６４、６４Ｂを一体に組んで構成していたが、２体で構成してもよい。例えば、筒車４６と月車５１とを連動して回転させる中間車と、筒車４６と太陽車５２とを連動して回転させる中間車との２つの中間車を設けてもよい。また、筒車４６と月車５１または太陽車５２とを連動して回転させる中間車と、月車５１および太陽車５２を連動して回転させる中間車との２つの中間車を設けてもよい。
【００６２】
前記第１実施形態では、月齢表記として、月の形を模した月マーク２２２と、月齢を表す月齢マーク２２３とを表記しているが、いずれか一方の表記でもよい。
前記第２実施形態では、太陽針２６による月齢の指示と、丸穴２３１および朔望板２４１による月の満ち欠けの表示とを併用していたが、いずれか一方のみを設けてもよい。
すなわち、月齢表記部である月齢数字２３２が設けられた月板２３０と、月齢指示部である指示部２６１が設けられた太陽針２６とを備え、丸穴２３１や朔望板２４１を備えない、つまり月の満ち欠けの表示を備えない月齢表示時計としてもよい。
また、丸穴２３１のみを設けた月板２３０と、朔望板２４１とを設け、太陽針２６や太陽針２６で指示される月齢を示す数字を設けない、つまり月の満ち欠けの表示のみで月齢を表示する月齢表示時計としてもよい。
【００６３】
朔望板２４１の明領域２４２、暗領域２４３は、それぞれが１２０°間隔で３分割されたものに限らず、それぞれを４分割以上にすることもできる。この場合、朔望送り車９０の朔望遊星車９５の歯数などを、分割数に応じて適宜設定すればよい。
前記各実施形態では、朔望月の周期としてＭ＝29.53059に設定していたが、例えば、Ｍ＝29や、Ｍ=29.53等の値に設定してもよい。すなわち、Ｍ＝29.5305に設定すれば精度が良くなるので好ましいが、Ｍとしては有効桁数が少ない近似値でもよく、朔望月の周期として設定可能な値であればよい。
【符号の説明】
【００６４】
１、１Ｂ…月齢表示時計、２、２Ｂ…表示部、３、３Ｂ…ムーブメント、４…ケース、５…りゅうず、１１…地板、２０、２０Ｂ…文字板、２１…時針、２２…分針、２３…秒針、２５…月針、２６…太陽針、４１…２番車、４２…４番車、４３…日の裏車、４５…筒カナ、４６…筒車、５１、５１Ｂ…月車、５２、５２Ｂ…太陽車、６０、６０Ｂ…太陽月中間車、６１、６１Ｂ…真、６２、６２Ｂ…筒中間歯車、６３、６３Ｂ…月中間歯車、６４、６４Ｂ…太陽中間歯車、７０…修正機構、７１…巻真、７２…きち車、７３…つづみ車、７４…オシドリ、７５…カンヌキ、７６…カンヌキ押え、７７…小鉄レバー、７８…小鉄車、７９…丸穴車、８０…月車修正輪列、８１…月齢修正車、８２…月齢修正伝え車、８２…第１月齢修正伝え車、８３…第２月齢修正伝え車、８４…第３月齢修正伝え車、８５…第４月齢修正伝え車、８６…第５月齢修正伝え車、９０…朔望送り車、９１…朔望太陽真、９２…朔望遊星中間歯車、９３…朔望第二太陽歯車、９４…朔望第二太陽かな、９５…朔望遊星車、９６…朔望太陽歯車、９７…朔望送り歯車、９８…朔望送り車座、９９…朔望送り車受板、２１０、２１０Ｂ…固定文字板、２１１…開口、２１５、２１５Ａ、２１５Ｂ…インデックス、２１６Ｂ…方位マーク、２２０…太陽板、２２１…太陽マーク、２２２…月マーク、２２３…月齢マーク、２２３Ａ…月齢数字、２２３Ｂ…ドット、２３０…月板、２３１…丸穴、２３２…数字、２４０…朔望車、２４１…朔望板、２４２…明領域、２４２Ａ…第１明領域、２４２Ｂ…第２明領域、２４２Ｃ…第３明領域、２４３…暗領域、２４３Ａ…第１暗領域、２４３Ｂ…第２暗領域、２４３Ｃ…第３暗領域、２５１、２６１…指示部、４２１…軸、４６１…カナ、５１１…軸部、５１１Ｂ…軸部、５１２、５１２Ｂ…歯車、５１３…カナ、５２１、５２１Ｂ…軸部、５２２、５２２Ｂ…歯車、９２１…ピン、９５１…朔望遊星かな、９５２…朔望遊星歯車。
【図１】
2020169824.tif 000003
【図２】
2020169824.tif 000004
【図３】
2020169824.tif 000005
【図４】
2020169824.tif 000006
【図５】
2020169824.tif 000007
【図６】
2020169824.tif 000008
【図７】
2020169824.tif 000009
【図８】
2020169824.tif 000010
【図９】
2020169824.tif 000011
【図１０】
2020169824.tif 000012
【図１１】
2020169824.tif 000013